(57)【要約】【課題】ＡＣ電源の低下や防災情報の受信があった場合でも、低容量の電池からの電力供給によってＵＩの動作を確保する。【解決手段】ＵＩ制御部１３０は、ＡＣ電源オフの検知または防災情報受信装置２０００からの防災情報の受信があると、ＡＣ電源３０００からバッテリ２３００へ電力供給元を切り替えるための切替要求を防災情報受信装置２０００へ送信し、その切替要求を受信した防災情報受信装置２０００は電力供給元をＡＣ電源３０００からバッテリ２３００に切り替える。ＵＩ制御部１３０は、バッテリ２３００での動作中にＡＣ電源オンの検知または防災情報の受信があると、バッテリ２３００からＡＣ電源３０００へ電力供給元を切り替えるための切替要求を防災情報受信装置２０００へ送信し、その切替要求を受信した防災情報受信装置２０００は電力供給元をバッテリ２３００からＡＣ電源３０００へ切り替える。【選択図】図８
2017064929.tif 000002
【特許請求の範囲】
【請求項１】
ＵＩ（ユーザインターフェイス）と、
送信局から受信した防災情報を前記ＵＩに報知させる報知手段と、
電池と、
ＡＣ電源のオンとオフとを検知する検知手段と、
前記ＵＩへの電力供給元を前記ＡＣ電源と前記電池とに切り替える切り替え部と、
前記検知手段により前記ＡＣ電源のオフが検知されるか、または前記防災情報を受信すると、前記ＵＩへの電力供給元を前記ＡＣ電源から前記電池へ切り替えるよう前記切り替え部を制御する制御手段を有することを特徴とする画像形成装置。
【請求項２】
前記電池による前記ＵＩの動作中に、前記検知手段により前記ＡＣ電源のオンが検知されると、前記制御手段は、前記ＵＩへの電力供給元を前記電池から前記ＡＣ電源へ切り替えるよう前記切り替え部を制御することを特徴とする請求項１に記載の画像形成装置。
【請求項３】
前記報知手段は、前記ＵＩが前記電池による動作中に前記防災情報を受信した場合であっても、前記ＵＩに前記防災情報を報知させることを特徴とする請求項１または２に記載の画像形成装置。
【請求項４】
前記ＵＩは、電力供給元が前記ＡＣ電源から前記電池へ切り替わるとスリープとなり、スリープであるときに前記防災情報が受信されるとスリープから復帰することを特徴とする請求項３に記載の画像形成装置。
【請求項５】
前記電池は充電可能な二次電池であることを特徴とする請求項１〜４のいずれか１項に記載の画像形成装置。
【請求項６】
ＵＩを有し、送信局から送信される防災情報を受信する防災情報受信装置を接続可能な画像形成装置であって、
前記防災情報受信装置は、電池を備え、前記画像形成装置の前記ＵＩへの電力供給元をＡＣ電源と前記電池とに切り替える制御を行うと共に、前記送信局から受信した防災情報を前記画像形成装置へ送信し、
前記画像形成装置は、
前記ＡＣ電源のオンとオフとを検知する検知手段と、
前記防災情報受信装置から前記防災情報を受信した場合に、前記防災情報を前記ＵＩに報知させる報知手段と、
前記検知手段により前記ＡＣ電源のオフが検知されるか、または前記防災情報受信装置から前記防災情報を受信すると、前記ＵＩへの電力供給元を前記ＡＣ電源から前記電池へ切り替えるための切替要求を前記防災情報受信装置へ送信する送信手段と、を有することを特徴とする画像形成装置。
【請求項７】
前記電池による前記ＵＩの動作中に、前記検知手段により前記ＡＣ電源のオンが検知されると、前記送信手段は、前記ＵＩへの電力供給元を前記電池から前記ＡＣ電源へ切り替えるための切替要求を前記防災情報受信装置へ送信することを特徴とする請求項６に記載の画像形成装置。
【請求項８】
前記報知手段は、前記ＵＩが前記電池による動作中に前記防災情報受信装置から前記防災情報を受信した場合であっても、前記ＵＩに前記防災情報を報知させることを特徴とする請求項６または７に記載の画像形成装置。
【請求項９】
前記ＵＩは、電力供給元を前記ＡＣ電源から前記電池へ切り替えるための切替要求に対する応答を前記防災情報受信装置から受けるとスリープとなり、スリープであるときに前記防災情報受信装置から前記防災情報を受信するとスリープから復帰することを特徴とする請求項８に記載の画像形成装置。
【請求項１０】
前記電池は充電可能な二次電池であることを特徴とする請求項６〜９のいずれか１項に記載の画像形成装置。
【請求項１１】
前記防災情報受信装置によって制御され、前記ＵＩへの電力供給元をＡＣ電源と前記電池とに切り替える切り替え部を有することを特徴とする請求項６〜１０のいずれか１項に記載の画像形成装置。
【請求項１２】
前記防災情報受信装置は、前記ＵＩへの電力供給元をＡＣ電源と前記電池とに切り替える切り替え部を有することを特徴とする請求項６〜１０のいずれか１項に記載の画像形成装置。
【請求項１３】
送信局から受信した防災情報を報知するＵＩと、電池と、前記ＵＩへの電力供給元をＡＣ電源と前記電池とに切り替える切り替え部と、を有する画像形成装置の制御方法であって、
前記ＡＣ電源のオフを検知するか、または前記防災情報を受信すると、前記ＵＩへの電力供給元を前記ＡＣ電源から前記電池へ切り替えるよう前記切り替え部を制御することを特徴とする画像形成装置の制御方法。
【請求項１４】
ＵＩを有し、送信局から送信される防災情報を受信する防災情報受信装置を接続可能な画像形成装置の制御方法であって、
前記防災情報受信装置は、電池を備え、前記画像形成装置の前記ＵＩへの電力供給元をＡＣ電源と前記電池とに切り替える制御を行うと共に、前記送信局から受信した防災情報を前記画像形成装置へ送信し、
前記画像形成装置の制御方法は、
前記ＡＣ電源のオンとオフとを検知する検知ステップと、
前記防災情報受信装置から前記防災情報を受信した場合に、前記防災情報を前記ＵＩに報知させる制御ステップと、
前記検知ステップにより前記ＡＣ電源のオフが検知されるか、または前記防災情報受信装置から前記防災情報を受信すると、前記ＵＩへの電力供給元を前記ＡＣ電源から前記電池へ切り替えるための切替要求を前記防災情報受信装置へ送信する送信ステップと、を有することを特徴とする画像形成装置の制御方法。
【請求項１５】
請求項１３または１４に記載の画像形成装置の制御方法をコンピュータに実行させることを特徴とするプログラム。
【発明の詳細な説明】
【技術分野】
【０００１】
本発明は、受信した防災無線情報の報知機能を有する画像形成装置等に関する。
【背景技術】
【０００２】
有事や大規模災害に備え、人命にかかわる通信を確保するために整備された無線通信システムとして防災無線システムがある。また、防災無線システムの送信局から送信される防災情報を無線で受信し、情報の内容を報知（表示）する機能を有した装置として、Ｍｕｌｔｉ  Ｆｕｎｃｔｉｏｎ  Ｐｅｒｉｐｈｅｒａｌ（複合機：以下、ＭＦＰ）やプリンタ等の画像形成装置が知られている。
【０００３】
防災情報を受信する装置は、商用電源（ＡＣ電源）の停電時にも動作可能であることが好ましい。しかし、オフィスに置かれる画像形成装置は、通常、商用電源のみでしか動作せず、停電時には防災情報を受信できない。そこで、画像形成装置においても、商用電源が遮断された場合に、商用電源から電池電力に切替えて電力供給するという技術が提案されている（特許文献１）。
【先行技術文献】
【特許文献】
【０００４】
【特許文献１】特開２０１５−６０７５号公報
【発明の概要】
【発明が解決しようとする課題】
【０００５】
しかしながら、特許文献１の画像形成装置では、印刷機能部を含む装置全体に対して電池により電力供給するため、電池の容量を十分に大きくする必要があり、コストがかかるという問題がある。
【０００６】
本発明の目的は、ＡＣ電源の低下や防災情報の受信があった場合でも、低容量の電池からの電力供給によってＵＩの動作を確保することである。
【課題を解決するための手段】
【０００７】
上記目的を達成するために本発明は、ＵＩ（ユーザインターフェイス）と、送信局から受信した防災情報を前記ＵＩに報知させる報知手段と、電池と、ＡＣ電源のオンとオフとを検知する検知手段と、前記ＵＩへの電力供給元を前記ＡＣ電源と前記電池とに切り替える切り替え部と、前記検知手段により前記ＡＣ電源のオフが検知されるか、または前記防災情報を受信すると、前記ＵＩへの電力供給元を前記ＡＣ電源から前記電池へ切り替えるよう前記切り替え部を制御する制御手段を有することを特徴とする。
【発明の効果】
【０００８】
本発明によれば、ＡＣ電源の低下や防災情報の受信があった場合でも、低容量の電池からの電力供給によってＵＩの動作を確保することができる。
【図面の簡単な説明】
【０００９】
【図１】画像形成装置を含む防災無線システムの全体構成を示す図である。
【図２】ＭＦＰのハードウェア構成を示すブロック図である。
【図３】変形例のＭＦＰのハードウェア構成を示すブロック図である。
【図４】コントローラの内部のハードウェア構成を示すブロック図である。
【図５】ＵＩの表示部の表示例を示す図である。
【図６】ＡＣ電源がオフになった場合のＭＦＰの全体動作のシーケンス図である。
【図７】防災情報が受信された場合のＭＦＰの全体動作のシーケンス図である。
【図８】本体部における動作のフローチャートである。
【図９】防災情報受信装置における動作のフローチャートである。
【発明を実施するための形態】
【００１０】
以下、本発明の実施の形態を図面を参照して説明する。
【００１１】
図１は、本発明の一実施の形態に係る画像形成装置を含む防災無線システムの全体構成を示す図である。この防災無線システムには、画像形成装置の一例としてのＭＦＰ１００のほか、情報配信サーバ４００、送信局６００、情報発信元２００が含まれる。ＭＦＰ１００や情報発信元２００の数は問わず、複数存在することが想定される。情報発信元２００は情報配信サーバ４００に対して、インターネット等の通信回線３００で接続されている。情報配信サーバ４００は送信局６００に対して、光回線や衛星回線などの専用回線５００で接続されている。情報発信元２００は、自治体など、防災無線システムにおける防災情報の発信元となるコンピュータ等の発信装置である。情報配信サーバ４００は、情報発信元２００からの情報を管理して発信する情報配信サーバである。送信局６００は、情報配信サーバ４００からの情報を送信する。防災情報は、情報発信元２００から通信回線３００を介して情報配信サーバ４００へ送信され、さらに専用回線５００を介して送信局６００へ送信される。送信局６００は、ＭＦＰ１００に代表される受信端末装置（図示せず）と無線通信を行い、情報配信サーバ４００から受信した防災情報をＭＦＰ１００等に送信する。ＭＦＰ１００は、送信局６００からの防災情報を無線通信で受信する。
【００１２】
図２は、ＭＦＰ１００のハードウェア構成を示すブロック図である。ＭＦＰ１００は、本体部１０００と防災情報受信装置２０００とが電気的に接続されて構成される。防災情報受信装置２０００は、防災情報を無線で受信する装置である。なお、本実施の形態では、本体部１０００と防災情報受信装置２０００とが接続されて成るものが、本発明の画像形成装置であるとする。しかし、本体部１０００に防災情報受信装置２０００を後付けで付加できることから、本体部１０００を、防災情報受信装置を接続可能な画像形成装置と見なし、本発明の画像形成装置に該当するものと考えてもよい。なお、後付けでなく、本体部１０００と防災情報受信装置２０００とが予め一体に構成された装置を本発明の画像形成装置と考えてもよい。
【００１３】
本体部１０００において、コントローラ１１００は、本体部１０００全体を制御すると共に、通信回線３００と通信する。Ｕ１（ユーザインターフェイス）１２００は、ユーザに対して表示や音による情報を提供すると共に、ユーザから指示を受け付ける。ＵＩ１２００は、表示部１２０１を有する。本体部１０００は、エンジン部として、紙原稿を読み取る読取部１３００、出力紙へ印刷する印刷部１４００、及び電源部１５００を備える。電源部１５００は本体部１０００に対して電力を供給する。ＡＣ電源３０００は、ＡＣ（商用）電源である。電源切替部５０００は、本体部側のＡＣ電源３０００からの電力供給と防災情報受信装置２０００のバッテリ２３００からの電力供給とを切り替える切り替え部である。
【００１４】
防災情報受信装置２０００において、無線受信部２１００は、送信局６００からの防災情報を無線通信で受信する。制御部２２００は、防災情報受信装置２０００全体を制御する。バッテリ２３００は、充電回路を備える二次電池である。電源部２４００は、ＡＣ電源部４０００からバッテリ２３００へ電力を供給する。制御部２２００は、ＵＩ１２００に対する電力供給元を、ＡＣ電源３０００とバッテリ２３００とに切り替えるよう電源切替部５０００を制御する。
【００１５】
ここで、各部の電源経路は束線とコネクタで接続されるため、電源切替部５０００は、本体部１０００側にあってもよいし、防災情報受信装置２０００側にあってもよい。従って、図３に変形例を示すように、電源切替部５０００を防災情報受信装置２０００に設けてもよい。また、本発明の画像形成装置は、電源切替部５０００のみが別基板に実装され、この別基板が、束線及びコネクタによって本体部１０００と防災情報受信装置２０００とに電気的に接続される構成であってもよい。
【００１６】
図４は、コントローラ１１００の内部のハードウェア構成を示すブロック図である。ＣＰＵ１０１は、本体部１０００の各部の制御を行う。ＣＰＵ１０１には、システムバス１１０を介してコントローラ１１００の各部が接続される。ＲＯＭ１０２には、本体部１０００を制御する制御プログラムが格納される。ＲＡＭ１０３は、制御プログラムの実行領域、画像処理用のワークデータ用領域、及び出力データ格納用領域を提供する。ＵＩ  Ｉ／Ｆ１０４は、ＵＩ１２００との通信を行う。ネットワークＩ／Ｆ１０５は、通信回線３００と通信を行う。画像処理部１０６は、読取データや印刷データに画像処理を施す。読取部Ｉ／Ｆ１０７は、エンジン部の読取部１３００との通信や読取データ受信を行う。印刷部Ｉ／Ｆ１０８は、エンジン部の印刷部１４００との通信や印刷データ送信を行う。ＵＩ電源Ｉ／Ｆ１２０は、電力供給をＵＩ１２００へ中継するＵＩ電源Ｉ／Ｆである。ＡＣ電源３０００からの電力は、電源部１５００、コントローラ１１００及び電源切替部５０００を介してＵＩ１２００へ供給される。
【００１７】
図５は、ＵＩ１２００の表示部１２０１の表示例を示す図である。表示部１２０１は、例えばＬＣＤ等で構成される表示パネルである。ＵＩ１２００には、コピー開始や中止などを指示するためのボタン１２０２が備えられるほか、不図示のボタンも備えられる。後述する処理により防災情報を受信した際には、表示部１２０１に、防災情報に含まれる文字情報等が表示される。例えば、緊急地震速報を受信した場合は、地震発生時刻や震源地等の情報が表示される。本体部１０００のエンジン部が印刷等の動作中であっても、防災情報を受信した場合は、ＵＩ１２００の表示は防災情報が優先される。
【００１８】
図６、図７は、それぞれ、ＡＣ電源がオフになった場合、防災情報が受信された場合におけるＭＦＰ１００の全体動作のシーケンス図である。図６、図７では、左側に本体部１０００の動作、右側に防災情報受信装置２０００の動作を示し、縦軸は時間経過を示す。
【００１９】
本体部１０００において、ＵＩ制御部１３０は、ＵＩ１２００を制御するためのプログラムモジュールである。本体部１０００のＵＩ制御部１３０による制御動作は、例えば、コントローラ１１００の内部のＲＯＭ１０２に格納もしくはＲＡＭ１０３に展開された制御プログラムの実行により実現される。なお、ＵＩ制御部１３０は、停電時にはバッテリ２３００から供給される電力によって動作可能である。なお、防災情報受信装置２０００側の動作については、制御部２２００の内部の図示しないＲＯＭに格納もしくはＲＡＭに展開された制御プログラムに沿って制御部２２００内の図示しないＣＰＵが実行することで実現される。
【００２０】
ところで、コントローラ１１００は、ＡＣ電源３０００からの電圧が所定以下になると電圧降下検知信号（図２、図３参照）をＵＩ１２００へ出力する。ＵＩ制御部１３０は、コントローラ１１００からの検知情報によってＡＣ電源３０００からの電力供給のＯＮ（ＡＣ電源オン）とＯＦＦ（ＡＣ電源オフ）とを検知する。例えば、ＵＩ制御部１３０は、コントローラ１１００からの電圧降下検知信号を受信すると、ＡＣ電源ＯＦＦを検知する。ＵＩ制御部１３０は、本発明における検知手段としての役割を果たす。
【００２１】
なお、ＡＣ電源オン／オフの判断手法はこの例に限定されない。
【００２２】
まず、図６において、本体部１０００に防災情報受信装置２０００が電気的に接続（追加部接続）された後の制御は、以下の手順で実行される。本体部１０００は、電源電圧の低下などによってＡＣ電源ＯＦＦ（オフ）を検知すると、ＡＣ電源３０００からバッテリ２３００への電力供給元の切替要求を防災情報受信装置２０００へ送信する（ステップＳ１０１）。防災情報受信装置２０００は、本体部１０００から切替要求を受けて、電力供給元をバッテリ２３００に切り替え、切り替えたことを告げるための切替応答を本体部１０００に返信する（ステップＳ２０１）。本体部１０００は、切替応答を受けて、ＵＩ１２００を低消費電力状態であるスリープへ移行させる（ステップＳ１０２）。この状態は、図２、図３において破線で囲んだ部分Ｂがバッテリ２３００によって電力供給されている状態である。
【００２３】
その後、防災情報受信装置２０００は、防災情報を受信すると、その防災情報を示す受信データを本体部１０００のＵＩ１２００へ送信する（ステップＳ２０２）。図６の例では、本体部１０００は、ＵＩ１２００がスリープ状態であるときに防災情報を示す受信データを受信する。この場合、本体部１０００は、データの受信によって、ＵＩ１２００をスリープから復帰させる（ステップＳ１０３）。そして、本体部１０００は、受信した防災情報をＵＩ１２００に表示させる（ステップＳ１０４）（図５に例示）。
【００２４】
図７において、本体部１０００に防災情報受信装置２０００が電気的に接続（追加部接続）された後の制御は、以下の手順で実行される。防災情報受信装置２０００は、防災情報を受信すると、その防災情報を示す受信データを本体部１０００のＵＩ１２００へ送信する（ステップＳ３０５）。本体部１０００は、受信した防災情報をＵＩ１２００に表示させると共に、ＡＣ電源３０００からバッテリ２３００への電力供給元の切替要求を防災情報受信装置２０００へ送信する（ステップＳ３０１）。防災情報受信装置２０００は、本体部１０００から切替要求を受けて、電力供給元をＡＣ電源３０００からバッテリ２３００に切り替え、切り替えたことを告げるための切替応答を本体部１０００に返信する（ステップＳ３０６）。本体部１０００は、切替応答を受けて、ＵＩ１２００をスリープへ移行させる（ステップＳ３０２）。この状態は、図２、図３において破線で囲んだ部分Ｂがバッテリ２３００によって電力供給されている状態である。
【００２５】
その後、本体部１０００は、ＡＣ電源ＯＮ（オン）を検知すると（ステップＳ３０３）、ＵＩ１２００をスリープから復帰させる。それと共に、本体部１０００は、バッテリ２３００からＡＣ電源３０００への電力供給元の切替要求を防災情報受信装置２０００へ送信する（ステップＳ３０４）。防災情報受信装置２０００は、本体部１０００から切替要求を受けて、電力供給元をバッテリ２３００からＡＣ電源３０００へ切り替え、切り替えたことを告げるための切替応答を本体部１０００に返信する（ステップＳ３０７）。
【００２６】
なお、図６のステップＳ１０２の後、図７のステップＳ３０３が実行される場合もある。また、図７のステップＳ３０２の後、図６のステップＳ２０２が実行される場合もある。図６、図７に例示したシーケンスを実現するための制御処理を、図８、図９でより詳細に説明する。
【００２７】
図８は、防災情報受信装置２０００が接続された場合の本体部１０００における動作のフローチャートである。まず、本体部１０００に防災情報受信装置２０００が電気的に接続される（ステップＳ５０１）。その後、ＵＩ制御部１３０は、ＡＣ電源３０００からの電力供給のＯＦＦ（ＡＣ電源オフ）を検知するかまたは防災情報受信装置２０００から防災情報を受信するのを待つ（ステップＳ５０２）。そして、防災情報を受信した場合は、ＵＩ制御部１３０は、受信した防災情報のデータをＵＩ１２００の表示部１２０１に表示させて（ステップＳ５０３）（図５に例示）、処理をステップＳ５０４に進める。一方、ＡＣ電源オフを検知した場合は、ＵＩ制御部１３０は処理をステップＳ５０４に進める。
【００２８】
ステップＳ５０４では、ＵＩ制御部１３０は、ＡＣ電源３０００からバッテリ２３００へ電力供給元を切り替えるための切替要求を防災情報受信装置２０００へ送信する（ステップＳ１０１、Ｓ３０１も参照）。ＡＣ電源オフの場合に切替要求を行うのは、ＡＣ電源の供給が継続できないからである。また、防災情報を受信した場合に切替要求を行うのは、ＵＩ１２００の動作を低電力で継続可能にして、停電となっても防災情報の報知機能を確保するためである。次に、ＵＩ制御部１３０は、ＡＣ電源３０００からバッテリ２３００への切替要求に対する切替応答を防災情報受信装置２０００から受信するのを待つ（ステップＳ５０５）。そしてその切替応答を受信すると、ＵＩ制御部１３０は、ＵＩ１２００を低消費電力状態であるスリープへと移行させる（ステップＳ５０６）（ステップＳ１０２、Ｓ３０２も参照）。
【００２９】
次に、ＵＩ制御部１３０は、ＡＣ電源３０００からの電力供給のＯＮ（ＡＣ電源オン）を検知するかまたは防災情報受信装置２０００から防災情報を受信するのを待つ（ステップＳ５０７）。そして、ＵＩ１２００のスリープ中において防災情報を受信した場合は、ＵＩ制御部１３０は、ＵＩ１２００をスリープから復帰させる（ステップＳ５０８）（ステップＳ１０３も参照）。ＵＩ制御部１３０はさらに、受信した防災情報のデータをＵＩ１２００の表示部１２０１に表示させて（ステップＳ５０９）（ステップＳ１０４も参照）、処理をステップＳ５０２に戻す。一方、ＵＩ１２００のスリープ中においてＡＣ電源オンを検知した場合は、ＵＩ制御部１３０は、ＵＩ１２００をスリープから復帰させる（ステップＳ５１０）。ＵＩ制御部１３０はさらに、バッテリ２３００からＡＣ電源３０００へ電力供給元を切り替えるための切替要求を防災情報受信装置２０００へ送信する（ステップＳ５１１）（ステップＳ３０３、Ｓ３０４も参照）。
【００３０】
ＵＩ制御部１３０は、バッテリ２３００からＡＣ電源３０００への切替要求に対する切替応答を防災情報受信装置２０００から受信するのを待つ（ステップＳ５１２）。そしてその切替応答を受信すると、ＵＩ制御部１３０は、処理をステップＳ５０２に戻す。
【００３１】
図９は、防災情報受信装置２０００が本体部１０００に接続された場合の防災情報受信装置２０００における動作のフローチャートである。まず、本体部１０００に防災情報受信装置２０００が電気的に接続される（ステップＳ６０１）。その後、制御部２２００は、ＡＣ電源３０００からバッテリ２３００へ電力供給元を切り替えるための切替要求を本体部１０００から受信するか、または、送信局６００からの防災情報が無線受信部２１００を通じて受信されるのを待つ（ステップＳ６０２）。そして、防災情報が受信された場合は、制御部２２００は、受信された防災情報のデータを無線受信部２１００を通じて本体部１０００へ送信し（ステップＳ６０３）（ステップＳ３０５も参照）、処理をステップＳ６０２に戻す。一方、バッテリ２３００への切替要求を受信した場合は、制御部２２００は、電力供給元をＡＣ電源３０００からバッテリ２３００に切り替える（ステップＳ６０４）（ステップＳ２０１、Ｓ３０６も参照）。制御部２２００はさらに、電力供給元を切り替えたことを告げるための切替応答を本体部１０００に返信する（ステップＳ６０５）。
【００３２】
次に、制御部２２００は、バッテリ２３００からＡＣ電源３０００へ電力供給元を切り替えるための切替要求を本体部１０００から受信するか、または、送信局６００からの防災情報が無線受信部２１００を通じて受信されるのを待つ（ステップＳ６０６）。そして、防災情報が受信された場合は、制御部２２００は、受信された防災情報のデータを無線受信部２１００を通じて本体部１０００へ送信し（ステップＳ６０７）（ステップＳ２０２も参照）、処理をステップＳ６０２に戻す。一方、ＡＣ電源３０００への切替要求を受信した場合は、制御部２２００は、バッテリ２３００からの電力供給を停止することで、電力供給元をバッテリ２３００からＡＣ電源３０００へ切り替える（ステップＳ６０８）（ステップＳ３０７も参照）。次に、制御部２２００は、電力供給元を切り替えたことを告げるための切替応答を本体部１０００に返信し（ステップＳ６０９）、処理をステップＳ６０２に戻す。
【００３３】
図８、図９の処理において、ＵＩ制御部１３０は、防災情報をＵＩ１２００に報知させる役割を果たし、本発明における報知手段に該当する。また、ＵＩ制御部１３０及び制御部２２００は、電力供給元を切り替えるよう電源切替部５０００を制御する役割を協働して果たし、本発明における制御手段に該当する。
【００３４】
本実施の形態によれば、ＭＦＰ１００は、ＡＣ電源オフを検知するかまたは防災情報を受信すると、ＵＩ１２００への電力供給元をＡＣ電源３０００からバッテリ２３００へ切り替える（Ｓ５０４、Ｓ６０４）。しかも、ＵＩ１２００の動作を確保できればよいので、バッテリ２３００の容量は大きくなくてもよい。よって、ＡＣ電源の低下や防災情報の受信があった場合でも、低容量の電池からの電力供給によってＵＩ１２００の動作を確保することができる。
【００３５】
また、バッテリ２３００によるＵＩ１２００の動作中にＡＣ電源オンが検知されると、ＵＩ１２００への電力供給元がＡＣ電源３０００へ切り替わる（Ｓ５１１、Ｓ６０８）。これにより、ＡＣ電源の復帰によりＵＩ１２００を通常動作に速やかに復帰させることができる。
【００３６】
また、バッテリ２３００によるＵＩ１２００の動作中に防災情報が受信された場合であっても、ＵＩ１２００により防災情報が報知される（Ｓ６０７、Ｓ５０９）。これにより、低容量の電池からの電力供給によって防災情報の報知機能を確保することができる。特に、ＵＩ１２００は、電力供給元がＡＣ電源３０００からバッテリ２３００へ切り替わるとスリープ状態となるが、スリープ状態時であっても防災情報が受信されるとスリープ状態から一旦復帰して防災情報を報知する（Ｓ６０７、Ｓ５０９）。これにより、省電力を図りつつ防災情報の報知機能を確保することができる。
【００３７】
また、バッテリ２３００は充電可能な二次電池であるので、不用意な電池切れで防災情報の報知が不能となるおそれが小さい。
【００３８】
なお、防災情報の報知の態様は、情報表示に限定されず、スピーカ等を用いた音声報知であってもよいし、光の点灯や点滅による報知（パトランプ等）であってもよい。なお、ＡＣ電源が確保されている場合は、受信した防災情報のデータを保存するか、あるいは印刷するようにしてもよい。
【００３９】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００４０】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００４１】
１３０  ＵＩ制御部
１０００  本体部
１２００  ＵＩ
２０００  防災情報受信装置
２２００  制御部
２３００  バッテリ
３０００  ＡＣ電源
５０００  電源切替部
【図１】
2017064929.tif 000003
【図２】
2017064929.tif 000004
【図３】
2017064929.tif 000005
【図４】
2017064929.tif 000006
【図５】
2017064929.tif 000007
【図６】
2017064929.tif 000008
【図７】
2017064929.tif 000009
【図８】
2017064929.tif 000010
【図９】
2017064929.tif 000011